(57)【要約】【課題】受信品質測定方法において、測定対象セルの受信品質を低い消費電流で高精度に測定することを目的とする。【解決手段】移動端末で測定対象セルの受信品質を測定する受信品質測定方法であって、前記測定対象セルの帯域と周辺セルの帯域が重なる場合に、前記測定対象セルの帯域内の複数周波数について所定帯域幅で受信品質測定を行い、前記複数周波数での受信品質測定結果を平均化した値を前記測定対象セルの受信品質とする。【選択図】    図６
2014017557.tif 000002
【特許請求の範囲】
【請求項１】
移動端末装置で測定対象セルの受信品質を測定する受信品質測定方法であって、
前記測定対象セルの帯域と周辺セルの帯域が重なる場合に、前記測定対象セルの帯域内の複数周波数について所定帯域幅で受信品質測定を行い、
前記複数周波数での受信品質測定結果を平均化した値を前記測定対象セルの受信品質とする
ことを特徴とする受信品質測定方法。
【請求項２】
請求項１記載の受信品質測定方法において、
前記測定対象セルの帯域と前記周辺セルの帯域の重なりを報知情報から取得した周辺セル情報から判定し、前記受信品質測定を行う複数周波数を決める
ことを特徴とする受信品質測定方法。
【請求項３】
請求項２記載の受信品質測定方法において、
前記受信品質測定を行う複数周波数は、前記測定対象セル及び前記周辺セルそれぞれの中心周波数である
ことを特徴とする受信品質測定方法。
【請求項４】
請求項２又は３記載の受信品質測定方法において、
前記周辺セル情報を取得できないとき、前記測定対象セルの帯域を所定の分割数で分割して前記受信品質測定を行う複数周波数を決める
ことを特徴とする受信品質測定方法。
【請求項５】
請求項４記載の受信品質測定方法において、
前記分割数を、前記測定対象セルの帯域幅に応じて可変する
ことを特徴とする受信品質測定方法。
【請求項６】
請求項１乃至５のいずれか１項記載の受信品質測定方法において、
前記複数周波数について所定帯域幅で行う受信品質測定は、基準信号受信電力を測定し、前記測定対象セルの帯域幅で受信信号強度を測定し、
前記測定対象セルの帯域幅で測定した受信信号強度と、前記複数周波数での基準信号受信電力を平均化した値から、平均化した基準信号受信品質を算出する
ことを特徴とする受信品質測定方法。
【請求項７】
測定対象セルの受信品質を測定する移動端末装置であって、
前記測定対象セルの帯域と周辺セルの帯域が重なる場合に、前記測定対象セルの帯域内の複数周波数について所定帯域幅で受信品質測定を行う測定手段と、
前記複数周波数での受信品質測定結果を平均化した値を前記測定対象セルの受信品質とする平均化手段と、
を有することを特徴とする移動端末装置。
【請求項８】
請求項７記載の移動端末装置において、
前記測定手段は、報知情報から取得した周辺セル情報を用いて前記測定対象セルの帯域と前記周辺セルの帯域の重なりを判定し、前記受信品質測定を行う複数周波数を決める
ことを特徴とする移動端末装置。
【請求項９】
請求項８記載の移動端末装置において、
前記測定手段は、前記受信品質測定を行う複数周波数を、前記測定対象セル及び前記周辺セルそれぞれの中心周波数とする
ことを特徴とする移動端末装置。
【請求項１０】
請求項８又は９記載の移動端末装置において、
前記測定手段は、前記周辺セル情報を取得できないとき、前記測定対象セルの帯域を所定の分割数で分割して前記受信品質測定を行う複数周波数を決める
ことを特徴とする移動端末装置。
【請求項１１】
請求項１０記載の移動端末装置において、
前記測定手段は、前記分割数を前記測定対象セルの帯域幅に応じて可変する
ことを特徴とする移動端末装置。
【請求項１２】
請求項７乃至１１のいずれか１項記載の移動端末装置において、
前記測定手段は、前記複数周波数について所定帯域幅で行う受信品質測定で、基準信号受信電力を測定し、前記測定対象セルの帯域幅で受信信号強度を測定し、
前記平均化手段は、前記測定対象セルの帯域幅で測定した受信信号強度と、前記複数周波数での基準信号受信電力を平均化した値から、平均化した基準信号受信品質を算出する
ことを特徴とする移動端末装置。
【発明の詳細な説明】
【技術分野】
【０００１】
本発明は、移動端末装置で測定対象セルの受信品質を測定する受信品質測定方法及び移動端末装置に関する。
【背景技術】
【０００２】
移動通信システムにおいては、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）の導入により、Ｗ−ＣＤＭＡ技術を使用した３Ｇ（３ｒｄ  Ｇｅｎｅｒａｔｉｏｎ）移動通信システムは数年にわたって市場の要求を満たし、他のシステムに対する競争力を確保してきた。しかしながら、さらに今後、急速に伸びるマルチメディアトラフィックやユビキタストラフィックに対応するには、長期的に見た技術進化が必要となり、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）の標準規格上ではＬＴＥ（Ｌｏｎｇ  ｔｅｒｍ  Ｅｖｏｌｕｔｉｏｎ）、あるいはＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）  ａｎｄ  Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）等として規定されている無線通信システムが普及し始めている。ＬＴＥでは３Ｇ（３ｒｄ  Ｇｅｎｅｒａｔｉｏｎ）に比べて遅延を１０ｍｓ程度から５ｍｓ以下に改善し、スループットをＨＳＤＰＡと比べて２〜４倍に向上し、周波数の利用効率が向上する。
【０００３】
このような移動端末側の受信品質測定処理の精度向上や回路規模削減を考えるに当たって、ネットワークキャリア側のＬＴＥや３Ｇ等の周波数運用についても考慮が必要になっている。
【０００４】
３ＧＰＰリリース９におけるＬＴＥのセル再選択の動作を以下に示す。ＬＴＥセルに在圏している状態で３ＧのＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に移行する場合について説明する。ＬＴＥセルから送信されるシステムインフォメーションブロック３にｔｈｒｅｓｈＳｅｒｖｉｎｇＬｏｗＱが設定されている場合は、ＲＳＲＱ（Ｒｅｆｅｒｅｎｃｅ  Ｓｉｇｎａｌ  Ｒｅｃｅｉｖｅｄ  Ｑｕａｌｉｔｙ）の閾値判定により動作判定を行うことが規定されている。一方、ｔｈｒｅｓｈＳｅｒｖｉｎｇＬｏｗＱが設定されていない場合は、ＲＳＲＰ（Ｒｅｆｅｒｅｎｃｅ  Ｓｉｇｎａｌ  Ｒｅｃｅｉｖｅｄ  Ｐｏｗｅｒ）の閾値判定により動作判定を行うことが規定されている。
【０００５】
また、ＵＭＴＳセルに在圏している状態でＬＴＥに移行する場合に、ＵＭＴＳセルのシステムインフォメーションブロック１９にＴｈｒｅｓｈｘのｈｉｇｈ２、Ｔｈｒｅｓｈｘのｌｏｗ２が両方設定されている場合は、ＲＳＲＱの閾値判定により動作判定を行うことが規定されている。一方、Ｔｈｒｅｓｈｘのｈｉｇｈ２、Ｔｈｒｅｓｈｘのｌｏｗ２のいずれか一方が設定されていない場合は、ＲＳＲＰの閾値判定により動作判定を行うことが規定されている。このように、３ＧＰＰリリース９ではセル再選択の動作は、ＲＳＲＰ又はＲＳＲＱの閾値により動作判定を行う。
【０００６】
このため、ＲＳＲＰ，ＲＳＲＱの閾値判定の際に、移動端末におけるＲＳＲＰ，ＲＳＲＱなどの受信品質測定の精度が必要となる。
【０００７】
ところで、希望波と干渉波とが重なる場合でも雑音電力値の推定を行う技術が提案されている（例えば特許文献１参照）。
【先行技術文献】
【特許文献】
【０００８】
【特許文献１】特開２０１０−２２６２００号公報
【発明の概要】
【発明が解決しようとする課題】
【０００９】
ネットワークキャリアの周波数運用により、任意のＬＴＥセルの周波数帯域と、他のＬＴＥセル又は３Ｇセルの周波数帯域が重なることが考えられる。図１に従来の受信品質測定の一例を示す。図１（Ａ）には、帯域幅が１０ＭＨｚのＬＴＥ（ＬＴＥ＿１）に対して、５ＭＨｚの帯域幅のＬＴＥ（ＬＴＥ＿２）と３Ｇ（３Ｇ＿１）が重なる例を示している。また、図１（Ｂ）には、帯域幅が１０ＭＨｚのＬＴＥ（ＬＴＥ＿３）に対して、５ＭＨｚの帯域幅の３Ｇが２周波数（３Ｇ＿２、３Ｇ＿３）が重なる例を示している。
【００１０】
ここで、ＬＴＥの受信測定処理を行う場合に、３ＧＰＰの標準化規格である３ＧＰＰ  ＴＳ  ３６．１３３上では、１．４ＭＨｚ帯域幅での測定を規定しており、必ずしも在圏している帯域幅全域での受信測定処理を行う必要はない。そのため、１．４ＭＨｚ帯域幅での測定を行うことで、回路規模・消費電流を抑えられるメリットがある。
【００１１】
しかし、図１（Ａ）に示すＬＴＥ＿１の帯域幅１０ＭＨｚ帯域の中心周波数部分Ｆｃ＿１において、５ＭＨｚ帯域幅のＬＴＥ＿２及び３Ｇ＿１の周波数が重ならない領域が存在する。また、図１（Ｂ）に示すＬＴＥ＿３の帯域幅１０ＭＨｚ帯域の中心周波数部分Ｆｃ＿４において、５ＭＨｚ帯域幅の３Ｇ＿２及び３Ｇ＿３の周波数が重ならない領域が存在する。この場合、中心周波数部分Ｆｃ＿１，Ｆｃ＿４それぞれを実線Ｉａ，Ｉｂで囲って示す１．４ＭＨｚ帯域幅で測定を行うと、周波数が重ならない帯域を測定することになるため、適切にＲＳＲＱが測定できなくなる。この場合に、以下のケースが考えられる。
【００１２】
ケース１：１０ＭＨｚ帯域幅のＬＴＥから５ＭＨｚ帯域幅のＬＴＥ又は３Ｇへのハンドオーバ時にサービングセルのＲＳＲＱが適切に測定できない。
【００１３】
ケース２：５ＭＨｚ帯域幅のＬＴＥから１０ＭＨｚ帯域幅のＬＴＥｚへのハンドオーバ時に周辺セルのＲＳＲＱが適切に測定できない。
【００１４】
ケース３：５ＭＨｚ帯域幅の３Ｇから１０ＭＨｚ帯域幅のＬＴＥへのハンドオーバ時に周辺セルのＲＳＲＱが適切に測定できない。
【００１５】
また、上記の例では、ＬＴＥ＿１，ＬＴＥ＿３の帯域幅を１０ＭＨｚとしているが、ＬＴＥ＿１，ＬＴＥ＿３の帯域幅が１５ＭＨｚ又は２０ＭＨｚの場合も、帯域幅が５ＭＨｚのＬＴＥ＿２，３Ｇ＿１，３Ｇ＿２，３Ｇ＿３との帯域幅の組み合わせにより同様の問題が発生する。
【００１６】
図２に従来の受信品質測定の他の一例の説明図を示す。図２（Ａ）において、１０ＭＨｚ帯域のＬＴＥ＿１を実線Ｉｃで囲って示す１０ＭＨｚ帯域の全帯域で受信品質測定を行い、全帯域の測定結果を平均化する。この場合、ＬＴＥ＿１と５ＭＨｚ帯域幅のＬＴＥ＿２，３Ｇ＿１の周波数が重ならない領域が存在した場合でも、ＬＴＥ＿１とＬＴＥ＿２，３Ｇ＿１の周波数が重なって干渉する帯域も考慮した受信品質測定を行うことが可能である。
【００１７】
同様に、図２（Ｂ）において、１０ＭＨｚ帯域のＬＴＥ＿３を実線Ｉｄで囲って示す１０ＭＨｚ帯域の全帯域で受信品質測定を行い、全帯域の測定結果を平均化する。この場合、ＬＴＥ＿３と５ＭＨｚ帯域幅の３Ｇ＿２，３Ｇ＿３の周波数が重ならない領域が存在した場合でも、ＬＴＥ＿３と３Ｇ＿２，３Ｇ＿３の周波数が重なって干渉する帯域も考慮した受信品質測定を行うことが可能である。
【００１８】
しかし、帯域幅全域を測定する場合には、帯域幅が１０ＭＨｚ、１５ＭＨｚ、２０ＭＨｚと広がるにつれて、回路規模・消費電流が増大する。図３にＦＦＴシステム帯域幅とＦＦＴサイズ及び有効サブキャリアの関係を示す。図３に示す通り、帯域幅が広がると受信品質測定処理を行うためのＦＦＴサイズ及び有効サブキャリア数が増え、処理量つまり回路規模が増えることになる。
【００１９】
開示の受信品質測定方法は、測定対象セルの受信品質を低い消費電流で高精度に測定することを目的とする。
【課題を解決するための手段】
【００２０】
開示の一実施形態による受信品質測定方法は、移動端末装置で測定対象セルの受信品質を測定する受信品質測定方法であって、
前記測定対象セルの帯域と周辺セルの帯域が重なる場合に、前記測定対象セルの帯域内の複数周波数について所定帯域幅で受信品質測定を行い、
前記複数周波数での受信品質測定結果を平均化した値を前記測定対象セルの受信品質とする。
【発明の効果】
【００２１】
本実施形態によれば、測定対象セルの受信品質を低い消費電流で高精度に測定することができる。
【図面の簡単な説明】
【００２２】
【図１】従来の受信品質測定の一例の説明図である。
【図２】従来の受信品質測定の他の一例の説明図である。
【図３】ＦＦＴシステム帯域幅とＦＦＴサイズ及び有効サブキャリアの関係を示す図である。
【図４】移動端末装置の一実施形態の構成図である。
【図５】サーチ処理部の第１実施形態の構成図である。
【図６】ＬＴＥ受信品質測定処理の一実施形態のフローチャートである。
【図７】周辺セル情報を取得している場合の受信品質測定の説明図である。
【図８】周辺セル情報を取得していない場合の受信品質測定の説明図である。
【図９】ＥＡＲＦＣＮの一例と、ＲＢ数と帯域幅の関係を示す図である。
【図１０】受信品質測定の説明図である。
【図１１】サーチ処理部の第２実施形態の構成図である。
【図１２】受信品質測定の説明図である。
【発明を実施するための形態】
【００２３】
以下、図面に基づいて実施形態を説明する。
【００２４】
＜移動端末の構成＞
図４に移動端末装置の一実施形態の構成図を示す。図１において、アンテナ１１は移動端末に搭載され、無線信号の送受信を行う。ＲＦＩＣ１２は送信するベースバンド信号を高周波信号にアップコンバートしてアンテナ１１に供給し、また、アンテナ１１で受信した高周波信号をベースバンド信号にダウンコンバートしてＲＦインタフェース１４に供給する。ＲＦインタフェース（ＲＦＩＦ）１４はＲＦＩＣ１２と、ベースバンド部１３内のＬＴＥシステムと３Ｇ又はＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）など複数のＲＡＴ（Ｒａｄｉｏ  Ａｃｃｅｓｓ  Ｔｅｃｈｎｏｌｏｇｙ）との仲介を行う。
【００２５】
ベースバンド部１３内のサーチ処理部１５はバンドサーチ、セルサーチ、パスサーチそれぞれのサーチ処理を行い、セルの先頭タイミングを検出してＦＦＴ（Ｆａｓｔ  Ｆｏｕｒｉｅｒ  Ｔｒａｎｓｆｏｒｍ）処理を行う。また、サーチ処理部１５はＲＳＳＩ（Ｒｅｃｅｉｖｅｄ  Ｓｉｇｎａｌ  Ｓｔｒｅｎｇｔｈ  Ｉｎｄｉｃａｔｏｒ）やＲＳＲＰなどの算出を行う。
【００２６】
復調部１６はサーチ処理部１５から供給されるＦＦＴ処理結果を用いてチャネル推定処理及び復調処理を行う。そして、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）、ＰＢＣＨ（Ｐｈｙｓｉｃａｌ  Ｂｒｏａｄｃａｓｔ  ＣＨａｎｎｅｌ）の復号処理を行う。また、復調部１６はＣＱＩ生成などの伝搬路環境測定機能を持つ。
【００２７】
復号部１７は復調されたＰＤＳＣＨ（Ｐｈｙｓｉｃａｌ  Ｄｏｗｎｌｉｎｋ  Ｓｈａｒｅｄ  ＣＨａｎｎｅｌ）のデレートマッチング処理を行い、ターボデコードからＣＲＣチェック処理までを実施する。再送ＰＤＳＣＨについてはターボデコード前にＨＡＲＱ合成処理を行う。復号部１７で復号されたデータはＣＰＵバス２１を通してＣＰＰ（Ｃ−ｐｌａｎｅ  Ｐｒｏｃｅｓｓｏｒ）２２とＵＰＰ（Ｕ−ｐｌａｎｅ  Ｐｒｏｃｅｓｓｏｒ）２３に供給される。
【００２８】
ＣＰＰ２２は主にＬａｙｅｒ３のプロトコル処理と受信品質測定制御処理を行う。ＣＰＰ２２には受信品質測定制御処理で使用される不揮発メモリ２２ａが併設されている。ＵＰＰ２３は主にＬａｙｅｒ２のプロトコル処理を行う。
【００２９】
ベースバンド部１３内の符号化部１８はＵＰＰ２３から供給されるＵＬ−ＳＣＨ（ＵｐＬｉｎｋ−Ｓｈａｒｅｄ  ＣＨａｎｎｅｌ）についてＣＲＣアタッチメント、ターボ符号化、レートマッチング及びスクランブルの処理を行う。また、チャネル品質（ＣＱＩ／ＰＭＩ／ＲＩ）や再送制御（ＨＡＲＱ−ＡＣＫ）などの制御情報に対して、ＣＲＣアタッチメント、Ｔａｉｌ  Ｂｉｔｉｎｇ畳み込み符号、ＲｅｅｄＭｕｌｌｅｒ符号、レートマッチングおよびスクランブルの処理を行う。
【００３０】
変調部１９は符号化されたＵＬ−ＳＣＨ及び付随する制御チャネルについて変調処理、ＤＦＴ（Ｄｉｓｃｒｅｔｅ  Ｆｏｕｒｉｅｒ  Ｔｒａｎｓｆｏｒｍ）、ＩＦＦＴ（Ｉｎｖｅｒｓｅ  ＦＦＴ）変換処理を行う。また、変調部１９はＲＡＣＨ（Ｒａｎｄｏｍ  Ａｃｃｅｓｓ  ＣＨａｎｎｅｌ）送信においてはプリアンブル生成、ＤＦＴ、ＩＤＦＴ（Ｉｎｖｅｒｓｅ  ＤＦＴ）処理を行う。変調部１９はＴｉｍｉｎｇ  Ａｄｖａｎｃｅ情報によりタイミングの制御を行うことで送信制御を行う。
【００３１】
＜サーチ処理部の構成＞
図５にサーチ処理部１５の第１実施形態の構成図を示す。図５において、サンプリングレート変換部３１は受信ベースバンド信号のＲＦインタフェース１４内のＡ／Ｄ変換のサンプリングレート（Ａ）を、ベースバンド部１３のサンプリングレート（Ｂ）に変換する。その前処理としてベースバンド信号の振幅補正を行う。サンプリングレート（Ａ）はシステム帯域に応じて変化し、サンプリングレート（Ｂ）は３０．７２Ｍｓｐｓで固定とする。サンプリングレート変換されたベースバンド信号は帯域フィルタリング部３４，セルサーチ部３６，パスサーチ部３７，ＦＦＴ部３９それぞれに供給される。
【００３２】
帯域フィルタリング部３４は帯域フィルタ３２とメモリ３３で構成され、帯域フィルタ３２は受信品質測定のために測定対象セルの受信信号を中心周波数から１．４ＭＨｚ帯域で通過させるフィルタリングを行う。帯域フィルタ３２は受信アンテナブランチ数を２とした場合、２回路独立に設ける。メモリ３３は帯域フィルタ３２の出力信号を記憶する。メモリ３３は５ｍｓ＋１ｓｙｍｂｏｌ（ｅｘｔｅｎｄｅｄ  ＣＰ）分を格納するだけのサイズを有する。メモリ３３に記憶された帯域フィルタ３２の出力信号は、その後、受信品質測定部３５に供給される。
【００３３】
受信品質測定部３５は帯域フィルタ３２の出力信号から測定対象セルについてのＲＳＳＩ及びＲＳＲＰを測定し、測定したＲＳＳＩ及びＲＳＲＰからＲＳＲＱを算出する。ここで得られたＲＳＳＩ，ＲＳＲＰ，ＲＳＲＱは受信品質測定結果としてＣＰＰ２２に送信される。
【００３４】
セルサーチ部３６はＲＦインタフェース１４の出力を供給されてバンドサーチ、ＡＦＣ、初期セルサーチ、周辺セルサーチの処理を行い、レベル情報、ＡＦＣ偏差、セルＩＤ、タイミング情報などをＣＰＰ２２に送信する。
【００３５】
パスサーチ部３７はＲＦインタフェース１４の出力を供給されて平均化、ピーク検出の処理を行って、処理結果を位置測定部３８に供給する。位置測定部３８は送受信時間差を測定し、この時間差をＣＰＰ２２に送信する。
【００３６】
ＦＦＴ部３９はＲＦインタフェース１４の出力と位置測定部３８からの送受信時間差を供給され、ＲＦインタフェース１４出力のＦＦＴ処理を行い、処理結果のシンボルデータとＦＦＴタイミングをＣＰＰ２２に送信する。
【００３７】
＜受信品質測定制御のフローチャート＞
図６に受信品質測定部３５におけるＬＴＥ受信品質測定処理の一実施形態のフローチャートを示す。このＬＴＥ受信品質測定処理はＣＰＰ２２が実行する受信品質測定制御処理によって制御されて実行される。
【００３８】
図６において、ステップＳ１でＣＰＰ２２は移動端末が在圏するセル（例えばＬＴＥセル）からの報知情報によって周辺セル情報を取得済みか否か判定する。周辺セル情報を取得済みの場合はステップＳ２に進んでステップＳ２〜Ｓ６の制御処理Ａを実行し、周辺セル情報を取得していない場合は、ステップＳ１１に進んでステップＳ１１〜Ｓ１５の制御処理Ｂを実行する。
【００３９】
ステップＳ２でＣＰＰ２２は取得済みの周辺セル情報より周辺セルの中心周波数を算出する。次に、ステップＳ３でＣＰＰ２２は測定対象セルであるＬＴＥの中心周波数における１．４ＭＨｚ帯域幅の受信品質測定を行う。
【００４０】
また、ステップＳ４でＣＰＰ２２は周辺セルの中心周波数が測定対象セルの帯域と重なるか否かを判定する。周辺セルの中心周波数が測定対象セルの帯域と重なる場合はステップＳ５に進み、周辺セルの中心周波数が測定対象セルの帯域と重ならない場合はこの処理を終了する。
【００４１】
周辺セルの中心周波数が測定対象セルの帯域と重なる場合、ステップＳ５で受信品質測定部３５は周辺セルの中心周波数における１．４ＭＨｚ帯域幅の受信品質測定を行う。次に、ステップＳ６でＣＰＰ２２は測定対象セルと帯域の重なりを検出した全ての周辺セルの中心周波数で受信品質測定を行ったか否かを判定する。
【００４２】
全ての周辺セルで受信品質測定を終了していなければステップＳ５に戻り、周辺セルの中心周波数における受信品質測定を繰り返す。測定対象セルと帯域の重なりを検出した全ての周辺セルの中心周波数で受信品質測定を終了した場合はステップＳ７に進み、受信品質測定結果の平均を算出して、この処理を終了する。
【００４３】
図７に周辺セル情報を取得している場合の受信品質測定の説明図を示す。図７では、移動端末が在圏する帯域幅が１０ＭＨｚのＬＴＥ（ＬＴＥ＿１）に対して、５ＭＨｚの帯域幅のＬＴＥ（ＬＴＥ＿２）と３Ｇ（３Ｇ＿１）が重なっている。なお、ＬＴＥ＿１が測定対象セルである。
【００４４】
ＬＴＥ＿１の中心周波数はＦｃ＿１、ＬＴＥ＿２の中心周波数はＦｃ＿２、３Ｇ＿１の中心周波数はＦｃ＿３である。移動端末にはＬＴＥ＿１からの報知された周辺セル情報により、中心周波数Ｆｃ＿１，Ｆｃ＿２，Ｆｃ＿３が取得されている。この場合には、受信品質測定部３５はステップＳ３で中心周波数Ｆｃ＿１における１．４ＭＨｚ帯域幅の受信品質測定を行い、ステップＳ５で中心周波数Ｆｃ＿２，Ｆｃ＿３それぞれにおける１．４ＭＨｚ帯域幅の受信品質測定を行う。
【００４５】
一方、図６のステップＳ１で周辺セル情報を取得していない場合、ステップＳ１１でＣＰＰ２２は測定対象セルの帯域の分割数を取得する。なお、上記分割数は例えば不揮発メモリ２２ａに予め設定されている。このため、不揮発メモリ２２ａの分割数は書き替えて更新する構成としても良く、また、測定対象セルの帯域幅に応じて分割数を可変設定する構成としても良い。
【００４６】
ステップＳ１２でＣＰＰ２２は測定対象セルの帯域を取得した分割数で分割し、各分割帯域の中心周波数を算出する。
【００４７】
次に、ステップＳ１３で受信品質測定部３５は測定対象セルつまり在圏セルの中心周波数における１．４ＭＨｚ帯域幅の受信品質測定を行う。こののち、ステップＳ１４で受信品質測定部３５は分割帯域の中心周波数における１．４ＭＨｚ帯域幅の受信品質測定を行う。
【００４８】
次に、ステップＳ１５でＣＰＰ２２は全ての分割帯域の中心周波数で受信品質測定を行ったか否かを判定する。全ての周辺セルで受信品質測定を終了していなければステップＳ１４に戻り、各分割帯域の中心周波数における受信品質測定を繰り返す。全ての各分割帯域の中心周波数で受信品質測定を終了した場合はステップＳ７に進み、受信品質測定結果の平均を算出して、この処理を終了する。
【００４９】
図８に周辺セル情報を取得していない場合の受信品質測定の説明図を示す。図８では、図７と同様に、移動端末が在圏する帯域幅が１０ＭＨｚのＬＴＥ（ＬＴＥ＿１）に対して、５ＭＨｚの帯域幅のＬＴＥ（ＬＴＥ＿２）と３Ｇ（３Ｇ＿１）が重なっている。なお、ＬＴＥ＿１が測定対象セルである。
【００５０】
３ＧＰＰ  ＴＳ  ３６．１０１の規格では、中心周波数とＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）の関係式は（１）式で表される。なお、図９（Ａ）にＥＡＲＦＣＮの一例を示す。（１）式におけるパラメータＦＤＬ＿ｌｏｗ，ＮＤＬ，ＮＯｆｆｓ−ＤＬそれぞれは図９（Ａ）に示すようにＥＡＲＦＣＮの値によって決定される。
【００５１】
ＦＤＬ＝  ＦＤＬ＿ｌｏｗ＋０．１（ＮＤＬ−ＮＯｆｆｓ−ＤＬ）      …（１）
例えば測定対象セルＬＴＥ＿１について、Ｅ−ＵＴＲＡオペレーティングバンドがＢＡＮＤ１で、ＥＡＲＦＣＮ＝３２４の場合には、測定対象セルの中心周波数Ｆｃ＿１は（１）式を用いて以下のようになる。
【００５２】
Ｆｃ＿１＝  ＦＤＬ＿ｌｏｗ＋０．１（ＮＤＬ−ＮＯｆｆｓ−ＤＬ）
＝２１１０＋０．１×（３２４−０）
＝２１４２．２ＭＨｚ
測定対象セルであるＬＴＥ＿１は周波数２１４２．２ＭＨｚを中心として２１３７．２ＭＨｚ〜２１４７．２ＭＨｚの周波数幅となる。
【００５３】
ここで、分割数＝５の場合、中心周波数より低い周波数帯ａ＝２１３７．２ＭＨｚ〜２１４２．２ＭＨｚと中心周波数より高い周波数ｂ＝２１４２．２ＭＨｚ〜２１４７．２ＭＨｚそれぞれを２分割（合計４分割）する。周波数帯ａ，ｂ共に５ＭＨｚ幅であることから、分割周波数単位を次のようにして求める。
【００５４】
５ＭＨｚ／（分割数２＋１）＝１．６６６…ＭＨｚ≒１ＭＨｚ（切り捨て）
これにより、１ＭＨｚ単位で分割を実施する。この場合、中心周波数から離れている周波数に分割周波数単位を順次加算又は減算して求める。周波数帯ａでは、
Ｆｃ＿４＝２１３７．２ＭＨｚ＋１ＭＨｚ＝２１３８．２ＭＨｚ
Ｆｃ＿５＝２１３７．２ＭＨｚ＋１ＭＨｚ＋１ＭＨｚ＝２１３９．２ＭＨｚ
周波数帯ｂでは、
Ｆｃ＿７＝２１４７．２ＭＨｚ−１ＭＨｚ＝２１４６．２ＭＨｚ
Ｆｃ＿６＝２１４７．２ＭＨｚ−１ＭＨｚ−１ＭＨｚ＝２１４５．２ＭＨｚ
この場合には、受信品質測定部３５はステップＳ１３により中心周波数Ｆｃ＿１における１．４ＭＨｚ帯域幅の受信品質測定を行い、ステップＳ１４により中心周波数Ｆｃ＿４，Ｆｃ＿５，Ｆｃ＿６，Ｆｃ＿７それぞれにおける１．４ＭＨｚ帯域幅の受信品質測定を行う。
【００５５】
＜受信品質測定＞
ステップＳ３，Ｓ５，Ｓ１３，Ｓ１４における受信品質測定では、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）及びＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）を測定する。ＲＳＳＩは移動端末において観測されるトータルの受信レベルであり、熱雑音や他セルからの干渉電力や自セルからの希望信号の電力等の全てを含む受信レベルである。ＲＳＲＰは基準信号受信パワーであり、ダウンリンク基準信号（ＲＳ）のリニアな平均値（Ｗ単位）であり、セル固有のＲＢ（Ｒｅｓｏｕｒｅ  Ｂｌｏｃｋ）を含むリソース・エレメント（ＲＥ）に対してだけ測定を行う。
【００５６】
そして、ＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）を（２）式で算出する。なお、（２）式におけるＲＢ数は、図９（Ｂ）にＮで示すように帯域幅に応じて異なり、帯域幅１．４ＭＨｚではＲＢ数＝６である。
【００５７】
ＲＳＲＱ＝ＲＳＲＰ＋１０ｌｏｇ（ＲＢ数）−ＲＳＳＩ        …（２）
＜平均値算出＞
ステップＳ７における平均値算出は、図７に示す場合、以下のようになる。
【００５８】
ＲＳＲＰ平均値＝［１０（ＲＳＲＰ［ＦＣ＿１］／１０）＋１０（ＲＳＲＰ［ＦＣ＿２］／１０）
＋１０（ＲＳＲＰ［ＦＣ＿３］／１０）］／３
ＲＳＳＩ平均値＝［１０（ＲＳＳＩ［ＦＣ＿１］／１０）＋１０（ＲＳＳＩ［ＦＣ＿２］／１０）
＋１０（ＲＳＳＩ［ＦＣ＿３］／１０）］／３
ＲＳＲＱ平均値＝ＲＳＲＰ平均値＋１０ｌｏｇ（ＲＢ数）−ＲＳＳＩ平均値
＜別の状態＞
次に、図７、図８とは異なる状態について説明する。図１０は、移動端末が３Ｇのセル在圏中に、測定対象セルであるＬＴＥが周辺セルとして存在する場合を示している。
【００５９】
図１０において、５ＭＨｚの帯域幅の３Ｇ（３Ｇ＿１）が移動端末の在圏するセルである。周辺セルとして帯域幅が１０ＭＨｚのＬＴＥ（ＬＴＥ＿１）のセルが存在する。このとき、３Ｇ＿１の中心周波数はＦｃ＿２、ＬＴＥ＿１の中心周波数はＦｃ＿１であり、移動端末は在圏セルである３Ｇ＿１からの報知情報によりＬＴＥ＿１の周辺セル情報を取得済みであるとする。
【００６０】
この場合も図６に示すフローチャートに従って受信品質測定を行う。すなわち、ステップＳ３でＬＴＥ＿１の中心周波数Ｆｃ＿１における１．４ＭＨｚ帯域幅の受信品質測定を行い、ステップＳ５で３Ｇ＿１の中心周波数Ｆｃ＿２における１．４ＭＨｚ帯域幅の受信品質測定を行う。そして、ステップＳ７で中心周波数Ｆｃ＿１における１．４ＭＨｚ帯域幅の受信品質測定結果と中心周波数Ｆｃ＿２における１．４ＭＨｚ帯域幅の受信品質測定結果との平均化を行って、測定対象セルの受信品質とする。
【００６１】
＜第２実施形態＞
前述したように、ＲＳＳＩは移動端末において観測されるトータルの受信レベルであり、熱雑音や他セルからの干渉電力や自セルからの希望信号の電力等の全てを含む受信レベルである。ＲＳＲＰは基準信号受信パワーであり、ダウンリンク基準信号のリニアな平均値であり、セル固有のＲＢを含むリソース・エレメントに対してだけ測定を行う。このため、第２実施形態では、他セルの影響を受けるＲＳＳＩについてはシステム帯域幅で測定を行う。
【００６２】
図１１にサーチ処理部１５の第２実施形態の構成図を示す。図１１において、サンプリングレート変換部３１は受信ベースバンド信号のＲＦインタフェース１４内のＡ／Ｄ変換のサンプリングレート（Ａ）を、ベースバンド部１３のサンプリングレート（Ｂ）に変換する。その前処理としてベースバンド信号の振幅補正を行う。サンプリングレート（Ａ）はシステム帯域に応じて変化し、サンプリングレート（Ｂ）は３０．７２Ｍｓｐｓで固定とする。サンプリングレート変換されたベースバンド信号は帯域フィルタリング部３４，セルサーチ部３６，パスサーチ部３７，ＦＦＴ部３９，ＲＳＳＩ測定部４１それぞれに供給される。
【００６３】
帯域フィルタリング部３４は帯域フィルタ３２とメモリ３３で構成され、帯域フィルタ３２は受信品質測定のために測定対象セルの受信信号を中心周波数から１．４ＭＨｚ帯域で通過させるフィルタリングを行う。帯域フィルタ３２は受信アンテナブランチ数を２とした場合、２回路独立に設ける。メモリ３３は帯域フィルタ３２の出力信号を記憶する。メモリ３３は５ｍｓ＋１ｓｙｍｂｏｌ（ｅｘｔｅｎｄｅｄ  ＣＰ）分を格納するだけのサイズを有する。メモリ３３に記憶された帯域フィルタ３２の出力信号は、その後、受信品質測定部４２に供給される。
【００６４】
ＲＳＳＩ測定部４１はベースバンド信号からシステム帯域幅でＲＳＳＩを測定して受信品質測定部４２に供給する。
【００６５】
受信品質測定部４２は帯域フィルタ３２の出力信号から測定対象セルについてのＲＳＲＰを測定し、測定したＲＳＲＰとＲＳＳＩ測定部４１からのＲＳＳＩを用いてＲＳＲＱを算出する。ＲＳＳＩ及びＲＳＲＰ，ＲＳＲＱは受信品質測定結果としてＣＰＰ２２に送信される。
【００６６】
セルサーチ部３６はＲＦインタフェース１４の出力を供給されてバンドサーチ、ＡＦＣ、初期セルサーチ、周辺セルサーチの処理を行い、レベル情報、ＡＦＣ偏差、セルＩＤ、タイミング情報などをＣＰＰ２２に送信する。
【００６７】
パスサーチ部３７はＲＦインタフェース１４の出力を供給されて平均化、ピーク検出の処理を行って、処理結果を位置測定部３８に供給する。位置測定部３８は送受信時間差を測定し、この時間差をＣＰＰ２２に送信する。
【００６８】
ＦＦＴ部３９はＲＦインタフェース１４の出力と位置測定部３８からの送受信時間差を供給され、ＲＦインタフェース１４出力のＦＦＴ処理を行い、処理結果のシンボルデータとＦＦＴタイミングをＣＰＰ２２に送信する。
【００６９】
図１２に第２実施形態における受信品質測定の説明図を示す。図１２では、移動端末が在圏する帯域幅が１０ＭＨｚのＬＴＥ（ＬＴＥ＿１）に対して、５ＭＨｚの帯域幅のＬＴＥ（ＬＴＥ＿２）と３Ｇ（３Ｇ＿１）が重なっている。なお、ＬＴＥ＿１が測定対象セルである。ＬＴＥ＿１の中心周波数はＦｃ＿１、ＬＴＥ＿２の中心周波数はＦｃ＿２、３Ｇ＿１の中心周波数はＦｃ＿３である。移動端末にはＬＴＥ＿１からの報知された周辺セル情報により、中心周波数Ｆｃ＿１，Ｆｃ＿２，Ｆｃ＿３が取得されている。
【００７０】
この場合には、受信品質測定部４２はステップＳ３で中心周波数Ｆｃ＿１における１．４ＭＨｚ帯域幅のＲＳＲＰ測定を行い、ステップＳ５で中心周波数Ｆｃ＿２，Ｆｃ＿３それぞれにおける１．４ＭＨｚ帯域幅のＲＳＲＰ測定を行う。そして、ステップＳ７でＲＳＲＰ平均値を求める。ＲＳＳＩについては、ステップＳ７でＲＳＳＩ測定部４１がシステム帯域幅つまり帯域幅１０ＭＨｚで測定した値を、ＲＳＲＩ平均値として受信品質測定部４２に取り込む。そして、受信品質測定部４２は上記ＲＳＲＰ平均値とＲＳＲＩ平均値からＲＳＲＱ平均値を算出する。
【００７１】
上記の各実施形態では、周辺セル情報を使用することで、帯域幅１．４ＭＨｚで受信品質測定を行った場合でも、周辺セルとの帯域の重なりを考慮した受信品質測定が可能となり、測定精度の確保が可能となる。また、周辺セル情報を持たない場合であっても、測定帯域内を分割して１．４ＭＨｚで受信品質測定することにより、帯域の重なりを考慮した受信品質測定が可能となり、測定精度の確保が可能となる。また、受信品質測定については帯域幅１．４ＭＨｚで行うことで回路規模の削減が可能となる。
（付記１）
移動端末装置で測定対象セルの受信品質を測定する受信品質測定方法であって、
前記測定対象セルの帯域と周辺セルの帯域が重なる場合に、前記測定対象セルの帯域内の複数周波数について所定帯域幅で受信品質測定を行い、
前記複数周波数での受信品質測定結果を平均化した値を前記測定対象セルの受信品質とする
ことを特徴とする受信品質測定方法。
（付記２）
付記１記載の受信品質測定方法において、
前記測定対象セルの帯域と前記周辺セルの帯域の重なりを報知情報から取得した周辺セル情報から判定し、前記受信品質測定を行う複数周波数を決める
ことを特徴とする受信品質測定方法。
（付記３）
付記２記載の受信品質測定方法において、
前記受信品質測定を行う複数周波数は、前記測定対象セル及び前記周辺セルそれぞれの中心周波数である
ことを特徴とする受信品質測定方法。
（付記４）
付記２又は３記載の受信品質測定方法において、
前記周辺セル情報を取得できないとき、前記測定対象セルの帯域を所定の分割数で分割して前記受信品質測定を行う複数周波数を決める
ことを特徴とする受信品質測定方法。
（付記５）
付記４記載の受信品質測定方法において、
前記分割数を、前記測定対象セルの帯域幅に応じて可変する
ことを特徴とする受信品質測定方法。
（付記６）
付記１乃至５のいずれか１項記載の受信品質測定方法において、
前記複数周波数について所定帯域幅で行う受信品質測定は、基準信号受信電力と受信信号強度を測定し、前記基準信号受信電力と前記受信信号強度から前記受信品質測定結果としての基準信号受信品質を算出する
ことを特徴とする受信品質測定方法。
（付記７）
付記１乃至５のいずれか１項記載の受信品質測定方法において、
前記複数周波数について所定帯域幅で行う受信品質測定は、基準信号受信電力を測定し、前記測定対象セルの帯域幅で受信信号強度を測定し、
前記測定対象セルの帯域幅で測定した受信信号強度と、前記複数周波数での基準信号受信電力を平均化した値から、平均化した基準信号受信品質を算出する
ことを特徴とする受信品質測定方法。
（付記８）
測定対象セルの受信品質を測定する移動端末装置であって、
前記測定対象セルの帯域と周辺セルの帯域が重なる場合に、前記測定対象セルの帯域内の複数周波数について所定帯域幅で受信品質測定を行う測定手段と、
前記複数周波数での受信品質測定結果を平均化した値を前記測定対象セルの受信品質とする平均化手段と、
を有することを特徴とする移動端末装置。
（付記９）
付記８記載の移動端末装置において、
前記測定手段は、報知情報から取得した周辺セル情報を用いて前記測定対象セルの帯域と前記周辺セルの帯域の重なりを判定し、前記受信品質測定を行う複数周波数を決める
ことを特徴とする移動端末装置。
（付記１０）
付記９記載の移動端末装置において、
前記測定手段は、前記受信品質測定を行う複数周波数を、前記測定対象セル及び前記周辺セルそれぞれの中心周波数とする
ことを特徴とする移動端末装置。
（付記１１）
付記９又は１０記載の移動端末装置において、
前記測定手段は、前記周辺セル情報を取得できないとき、前記測定対象セルの帯域を所定の分割数で分割して前記受信品質測定を行う複数周波数を決める
ことを特徴とする移動端末装置。
（付記１２）
付記１１記載の移動端末装置において、
前記測定手段は、前記分割数を前記測定対象セルの帯域幅に応じて可変する
ことを特徴とする移動端末装置。
（付記１３）
付記８乃至１２のいずれか１項記載の移動端末装置において、
前記測定手段は、前記複数周波数について所定帯域幅で行う受信品質測定で、基準信号受信電力と受信信号強度を測定し、前記基準信号受信電力と前記受信信号強度から前記受信品質測定結果としての基準信号受信品質を算出する
ことを特徴とする移動端末装置。
（付記１４）
付記８乃至１２のいずれか１項記載の移動端末装置において、
前記測定手段は、前記複数周波数について所定帯域幅で行う受信品質測定で、基準信号受信電力を測定し、前記測定対象セルの帯域幅で受信信号強度を測定し、
前記平均化手段は、前記測定対象セルの帯域幅で測定した受信信号強度と、前記複数周波数での基準信号受信電力を平均化した値から、平均化した基準信号受信品質を算出する
ことを特徴とする移動端末装置。
【符号の説明】
【００７２】
１１  アンテナ
１２  ＲＦＩＣ
１３  ベースバンド部
１４  ＲＦインタフェース
１５  サーチ処理部
１６  復調部
１７  復号部
１８  符号化部
１９  変調部
２１  ＣＰＵバス
２２  ＣＰＰ
２２ａ  不揮発メモリ
２３  ＵＰＰ
３１  サンプリングレート変換部
３２  帯域フィルタ
３３  メモリ
３４  帯域フィルタリング部
３５，４２  受信品質測定部
３６  セルサーチ部
３７  パスサーチ部
３８  位置測定部
３９  ＦＦＴ部
４１  ＲＳＳＩ測定部
【図１】
2014017557.tif 000003
【図２】
2014017557.tif 000004
【図３】
2014017557.tif 000005
【図４】
2014017557.tif 000006
【図５】
2014017557.tif 000007
【図６】
2014017557.tif 000008
【図７】
2014017557.tif 000009
【図８】
2014017557.tif 000010
【図９】
2014017557.tif 000011
【図１０】
2014017557.tif 000012
【図１１】
2014017557.tif 000013
【図１２】
2014017557.tif 000014